(57)【要約】【課題】ゲッターとフィラメント状陰極との干渉を避けつつ表示装置全体のサイズを小さくでき、新規にフレーム成形金型を設計せずに、蛍光体−フィラメント間距離を短くすることが可能である蛍光表示装置等を提供する。【解決手段】蛍光表示装置１は、前面板２と基板３とスペーサ部材４とからなる真空容器と、基板３上に設けられた陽極５および蛍光体層と、フィラメント状陰極６と、フィラメント状陰極６を張り渡す張架部が形成された一対のフレーム１０、１０’と、フレームに支持されるゲッター１１と、グリッド７とを備えてなり、一対のフレーム１０、１０’は、前面板２に沿って配置され、その一部が前面板２とスペーサ部材４との間に挟持されて固定され、フレームの一方が基板側でゲッター１１を支持するゲッター支持部１２を有し、このゲッター支持部１２により、ゲッター１１がフレームとフィラメント状陰極との間で支持されている。【選択図】図１
2014049423.tif 000002
【特許請求の範囲】
【請求項１】
前面板および基板がそれぞれスペーサ部材を介して封着接合される真空容器と、この真空容器内の前記基板上に設けられた陽極および蛍光体層と、この蛍光体層の上方に架設されたフィラメント状陰極と、前記フィラメント状陰極を張り渡す張架部が形成された一対のフレームと、該フレームに支持されるゲッターと、前記蛍光体層と前記フィラメント状陰極との間に配置されたグリッドとを備えてなる蛍光表示装置であって、
前記一対のフレームは、前記前面板に沿って配置され、その一部が前記前面板と前記スペーサ部材との間に挟持されて固定されており、
前記一対のフレームの少なくとも一方が、該フレームの前記基板側で前記ゲッターを支持するゲッター支持部を有し、該ゲッター支持部により、前記ゲッターが該フレームと前記フィラメント状陰極との間で支持されていることを特徴とする蛍光表示装置。
【請求項２】
前記ゲッター支持部は、前記フレームと一体に形成された突状部を、前記基板側に略垂直に折り曲げた後、該垂直部分の高さが前記フレームと前記フィラメント状陰極との中間位置となる高さで、さらに前記フレーム側に略垂直に折り曲げて構成され、その先端部で前記ゲッターを支持することを特徴とする請求項１記載の蛍光表示装置。
【請求項３】
請求項１または請求項２記載の蛍光表示装置の製造方法であって、
前記ゲッターを前記フィラメント状陰極に干渉しない位置で前記ゲッター支持部に固着した後に、前記ゲッター支持部を変形させて前記ゲッターを前記フレームと前記フィラメント状陰極との間に潜り込ませて配置することを特徴とする蛍光表示装置の製造方法。
【発明の詳細な説明】
【技術分野】
【０００１】
本発明は蛍光表示装置（ＶＦＤ：Ｖａｃｕｕｍ  Ｆｌｕｏｒｅｓｃｅｎｔ  Ｄｉｓｐｌａｙ）に関し、特に薄型構造を可能とする蛍光表示装置およびその製造方法に関する。
【背景技術】
【０００２】
家電製品、計測器、医療機器、車載用表示器などの表示部に所定のパターンあるいはグラフィックを表示する表示素子や、バックライト、プリンタヘッド、複写機用光源などの各種光源、平面テレビ等に蛍光表示装置（蛍光表示管）が多用されている。蛍光表示装置は、互いに平行に配置された基板と、透光性平板部（前面板）と、それらの間に位置する矩形枠状の周壁部（スペーサ部材）とによって真空容器が構成され、その真空容器内に、基板の表示面において複数個の陽極（アノード）の各々の上に設けられた複数個の蛍光体層と、その表示面の上方に両端部をアンカおよびサポートに支持されて架設されたフィラメント状陰極とを備え、真空空間内においてそのフィラメント状陰極から発生させられた電子を、それら蛍光体層とフィラメント状陰極との間に設けられたグリッド電極で制御して蛍光体層を選択的に発光させる構造等を有している。
【０００３】
蛍光表示装置には、内部の残留ガスを吸着する蒸着膜を前面板等の内面に形成するためのゲッターが備えられている。ゲッターは、例えば、ニッケルめっきが施された鉄製のリング状容器内に、アルミニウム−バリウム合金およびニッケルの混合物からなるゲッター剤が充填されたものである。蛍光表示装置の製造工程においては、基板、前面板、およびスペーサ部材を相互に気密封着して真空容器を構成し、内部から排気した後、ゲッターを高周波誘導等によって加熱することでゲッター剤を蒸発（ゲッタ・フラッシュ）させ、例えばアルミニウム−バリウム合金からなる蒸着膜を形成する。そのため、観視側に位置する前面板に形成される蒸着膜が、ゲッター剤蒸発の際に表示領域まで広がって表示の妨げとなることのないように、ゲッターはフィラメント状陰極よりも上側で、前面板の内面近傍の高さ位置に配置されている。
【０００４】
ゲッターは、上記のフィラメント状陰極を支持するアンカやサポート等が形成された金属フレームに、一体に形成（切り起こし）された、または、別部材として接合されたゲッター支持部により支持されている。従来の金属フレーム構造の一例を図４に示す。図４に示すように、金属フレーム２１の一部に、ゲッター支持部２２が一体に形成されている。このゲッター支持部２２は、ゲッターシールド２２ａとゲッターリボン２２ｂとからなる。ゲッターシールド２２ａが、金属フレーム２１の前面板２５側（表側）に略垂直に折り曲げられ、さらに、ゲッターリボン２２ｂがゲッターシールド２２ａに対して略垂直に折り曲げられ、このゲッターリボン２２ｂにゲッター２３が固着されている。ＶＦＤ側面図に示すように、金属フレーム２１は、基板２６に設置されている。ゲッター２３は、フィラメント状陰極２４に干渉せず、かつ、蒸着膜が前面板２５の表示領域に広がることを防止できるよう、ゲッター支持部２２によりフィラメント状陰極２４の上側（前面板２５の近傍）に配置されている。
【０００５】
このような構造の蛍光表示装置において、ゲッタ・フラッシュに起因する金属フレームの熱変形を抑制し得るものとして、金属フレームとゲッター支持部とが一体的に備えられた複合部品とし、上記金属フレームとゲッター支持部との中間部が真空容器外に位置するように基板上に配置して、基板と周壁部とを封着した後、上記中間部で複合部品を切断した蛍光表示装置が提案されている（特許文献１参照）。
【０００６】
また、蛍光表示装置の表示部となる前面板の内面に外部電界の影響を遮断するために透明導電膜（ネサ膜やＩＴＯ膜）を設け、この透明導電膜にカソードまたはグリッドの電位を与えてシールドを行なうことが知られている。透明導電膜に電位を与えるため、上記金属フレームにネサコンタクトを垂直に取り付け、基板側にある該金属フレームから前面板内壁までこのネサコンタクトを延ばし、電気的に接触させている。
【０００７】
また、蛍光表示装置では、発光表示を制御させるためのＩＣ（半導体素子）を備えている。半導体素子を内蔵した蛍光表示装置は、外部引出し線が省略でき、全体としての小型化や表示密度を向上できるなどの利点があるが、外部光やフィラメントから放射される電子、蒸発物質の堆積等による誤動作を防ぐため、半導体素子に遮蔽部分を設ける必要があった。この場合、遮蔽部分がデッドスペースとなり、該部分だけ蛍光表示装置の外形寸法が大きくなってしまう。この問題解消のため、従来、金属フレームに凸状絞込み部を形成したもの（特許文献２参照）や、ブリッジ状に形成した金属フレームを基板上に設置したもの（特許文献３参照）などが提案されている。
【０００８】
その他、広い表示エリアを実現できるものとして、外部取り出しリードピンがいわゆるつり下げ型となる蛍光表示装置が提案されている（特許文献４参照）。
【先行技術文献】
【特許文献】
【０００９】
【特許文献１】特開２０００−２０８０４９号公報
【特許文献２】特開２００４−１３４１４９号公報
【特許文献３】特開平８−３１３５１号公報
【特許文献４】特開２００５−１９０８８３号公報
【発明の概要】
【発明が解決しようとする課題】
【００１０】
しかしながら、特許文献１〜３の蛍光表示装置（蛍光表示管）では、ゲッターをフィラメント状陰極よりも高い位置に配置することから、蛍光表示管の高さ（管厚）が高くなってしまうという問題がある。また、管厚を低くするためには、蛍光表示管縦寸法（Ｂ寸）を広げる必要がある。また、これらの蛍光表示装置は、金属フレームを基板上に設置するため、前面板内壁に十分な接触をとれるようネサコンタクトの長さを確保する必要がある。
【００１１】
一方、特許文献４の蛍光表示装置は、金属フレームを前面板側に設置することで、ネサコンタクトの問題は解消し得るが、ゲッターについては特許文献１〜３と同様にフィラメント状陰極よりも基板側の位置（フレームからみて高い位置）に配置され、このゲッター配置により管厚を低くすることが困難である。
【００１２】
また、特許文献３の蛍光表示装置では、アンカ部材の板バネ高さを変えることなくフィラメント高さの調節が可能である。しかし、蛍光体−フィラメント間距離（Ｐ−Ｋｇａｐ）を短くしたい場合には、ブリッジ状金属フレームの成形金型を、その都度設計する必要があり、製造コストアップになる。また、特許文献４の場合は、ゲッターの配置位置を考慮して、蛍光体−フィラメント間距離（Ｐ−Ｋｇａｐ）を調整する必要があり、ゲッター支持部が金属フレームに一体に形成されている場合等、特許文献４と同様に成形金型の設計が必要になる。
【００１３】
本発明は、このような問題に対処するためになされたものであり、ゲッターとフィラメント状陰極との干渉を避けつつ表示装置全体のサイズを小さくでき、新規にフレーム成形金型を設計せずに、蛍光体−フィラメント間距離を短くすることが可能である蛍光表示装置およびその製造方法を提供することを目的とする。
【課題を解決するための手段】
【００１４】
本発明の蛍光表示装置は、前面板および基板がそれぞれスペーサ部材を介して封着接合される真空容器と、この真空容器内の上記基板上に設けられた陽極および蛍光体層と、この蛍光体層の上方に架設されたフィラメント状陰極と、上記フィラメント状陰極を張り渡す張架部が形成された一対のフレームと、該フレームに支持されるゲッターと、上記蛍光体層と上記フィラメント状陰極との間に配置されたグリッドとを備えてなる蛍光表示装置であって、上記一対のフレームは、上記前面板に沿って配置され、その一部が上記前面板と上記スペーサ部材との間に挟持されて固定されており、上記一対のフレームの少なくとも一方が、該フレームの上記基板側で上記ゲッターを支持するゲッター支持部を有し、該ゲッター支持部により、上記ゲッターが該フレームと上記フィラメント状陰極との間で支持されていることを特徴とする。
【００１５】
上記ゲッター支持部は、上記フレームと一体に形成された突状部を、上記基板側に略垂直に折り曲げた後、該垂直部分の高さが上記フレームと上記フィラメント状陰極との中間位置となる高さで、さらに上記フレーム側に略垂直に折り曲げて構成され、その先端部で上記ゲッターを支持することを特徴とする。
【００１６】
本発明の蛍光表示装置の製造方法は、上記本発明の蛍光表示装置の製造方法であって、上記ゲッターを上記フィラメント状陰極に干渉しない位置で上記ゲッター支持部に固着した後に、上記ゲッター支持部を変形させて上記ゲッターを上記フレームと上記フィラメント状陰極との間に潜り込ませて配置することを特徴とする。
【発明の効果】
【００１７】
本発明の蛍光表示装置は、前面板および基板がそれぞれスペーサ部材を介して封着接合される真空容器と、この真空容器内の基板上に設けられた陽極および蛍光体層と、この蛍光体層の上方に架設されたフィラメント状陰極と、フィラメント状陰極を張り渡す張架部が形成された一対のフレームと、該フレームに支持されるゲッターと、蛍光体層とフィラメント状陰極との間に配置されたグリッドとを備えてなり、上記一対のフレームは、前面板に沿って配置され、その一部が前面板とスペーサ部材との間に挟持されて固定されており、この一対のフレームの少なくとも一方が、該フレームの基板側でゲッターを支持するゲッター支持部を有し、該ゲッター支持部により、ゲッターが該フレームとフィラメント状陰極との間で支持されているので、フィラメント状陰極とゲッターの干渉を避けつつ、蛍光表示装置内の省スペース化が図れ、表示装置全体のサイズ（特に管厚）を小さくできる。
【００１８】
また、前面板側にフレームが固定される構造で、かつ、ゲッターがフレームとフィラメント状陰極との間に収納されているので、蛍光体−フィラメント間距離（Ｐ−Ｋｇａｐ）がスペーサ部材の高さのみで調節可能となる。このため、新規にフレーム成形金型を設計せずに、蛍光体−フィラメント間距離を短くすることが可能となる。
【００１９】
さらに、前面板側にフレームが固定される構造であるので、容易に最小限の長さでネサコンタクトを前面板内壁に接触することが可能となる。また、フレームをブリッジ状に成型することなく、ＩＣとの接触を避けることができる。
【００２０】
本発明の蛍光表示装置の製造方法は、ゲッターをフィラメント状陰極に干渉しない位置でゲッター支持部に固着した後に、ゲッター支持部を変形させてゲッターをフレームとフィラメント状陰極との間に潜り込ませて配置するので、作業性に優れ、従来のフレーム製造工数と同様の工数で製造が可能である。
【図面の簡単な説明】
【００２１】
【図１】本発明の蛍光表示装置の正面図および断面図である。
【図２】フレームのゲッター支持部の構造を示す図である。
【図３】ゲッター取付工程を示す図である。
【図４】従来のフレームのゲッター支持部の構造を示す図である。
【発明を実施するための形態】
【００２２】
本発明の蛍光表示装置（蛍光表示管）の一例を図１に示す。図１（ａ）は平面図を、図１（ｂ）は短辺側からみた断面図を、それぞれ示す。蛍光表示管１は、前面板２と基板３とがスペーサ部材４を介して封着部１３において封着接合されて真空容器を構成している。前面板２は透光性のカバー・ガラス板等で、基板３はガラス、セラミックス、琺瑯などの絶縁体材料等で、スペーサ部材４は枠状に形成されたガラス材料等でそれぞれ形成されている。前面板２および基板３がスペーサ部材４を介して相互に封着部１３においてガラス封着されることにより長手平箱状の気密な真空容器が構成され、その内部にそれらの部材により囲まれた真空空間が形成される。
【００２３】
蛍光表示管１は、この真空容器内の基板３上にアノード電極およびこのアノード電極上に形成された蛍光体層からなる陽極５が設けられ、この陽極５と、蛍光体層の上方に架設されたフィラメント状陰極６と、蛍光体層とフィラメント状陰極６との間に配置されたメッシュグリッド７とを備えている。アノード電極および蛍光体層からなる複数の陽極５は、文字や記号等を表示するための発光単位を構成しており、蛍光表示管１の表示面として機能する。陽極５は、発光単位毎に設けられたメッシュグリッド７によりそれぞれ囲まれている。陽極５とメッシュグリッド７とは基板３内の配線パターンを経由して形成されている電極パッド８と、外部取り出しリードピン９の先端とが接触することにより電気的に接続されている。外部取り出しリードピン９は前面板２とスペーサ部材４との間に挟持されて封着されている。
【００２４】
その他、蛍光表示管１には、製造時の排気・封止工程において排気するための排気管や排気孔（図示省略）が設けられている。また、蛍光表示装置の表示部となる前面板２の内面には、外部電界の影響を遮断するために透明導電膜（図示省略）が設けられている。
【００２５】
真空容器内部の前面板２の両端部には、前面板２とスペーサ部材４との間に挟持されて封着されることで固定される一対のフレーム１０、１０’がそれぞれ設けられている。該構造では、フレーム１０が前面板２側に設置されている。前面板２側にフレーム１０が設置される構造であるので、フレームと透明導電膜とを電気的に導通させるためのネサコンタクトを最小限の長さでフロント内壁に接触させることができる。また、フレームをブリッジ状に成型することなく、基板３上のＩＣとの接触を避けることができる。
【００２６】
フレーム１０、１０’は、例えば４２６合金（Ｎｉ４２、Ｃｒ６、残部Ｆｅ）等からなる金属フレームである。このフレーム１０と１０’の間に、直熱型陰極として機能する細線状のフィラメント状陰極６が、基板３の長手方向に平行で、メッシュグリッド７上方で、基板３の表示面から離隔した所定の高さ位置となるように張設されている。フィラメント状陰極６は、例えば、表面に電子放出層として（Ｂａ、Ｓｒ、Ｃａ）Ｏ等の仕事関数の低いアルカリ土類金属の酸化物固溶体がコーティングされたタングステンワイヤから構成される。
【００２７】
一対のフレーム１０、１０’は、フィラメント状陰極６を張り渡す張架部として、一方のフレームにフィラメント状陰極６を弾性的に支持するアンカが、他方のフレームにそれを非弾性的に支持するサポートが、それぞれ形成されている。フィラメント状陰極６は、両端部がこれらアンカおよびサポートにそれぞれ溶着等によって固定されている。アンカおよびサポートは、ＳＵＳ４３０等の別部材をプレスによる折曲加工で所定の形状に成形した後、フレームにスポット溶接等によって固着したものや、フレームに直接折曲加工を施すことによってフレームと一体に形成したものとできる。
【００２８】
フレーム１０は、基板３側（裏側）に、ゲッター１１を支持するゲッター支持部１２を有する。このゲッター支持部１２により、ゲッター１１が、フレーム１０とフィラメント状陰極６との間で支持されている。このゲッター支持部１２は、いずれか一方のフレームに設けておけばよく、フレーム１０’側に設けてもよい。また、ゲッター支持部１２は、ゲッター１１をフレームとフィラメント状陰極との間で支持できる構造であれば、各フレームにおいて任意の位置に形成できる。図１では、フレーム１０のリードピン側（上側）に形成しているが、反対側（下側）に形成してもよい。
【００２９】
ゲッター支持部１２の構造を図２に基づいて詳細に説明する。図２は、フレームのゲッター支持部の構造（成形前、成形後）と、この支持部構造を用いた場合の蛍光表示管の側面図である。フレーム１０の一部に、ゲッター支持部１２が突状部として一体に形成されている。このゲッター支持部１２は、ゲッターシールド１２ａとゲッターリボン１２ｂとからなる。ゲッターシールド１２ａが、フレーム１０の基板３側（裏側）に略垂直に折り曲げられ、さらに、ゲッターリボン１２ｂがゲッターシールド１２ａに対して略垂直に折り曲げられ、このゲッターリボン１２ｂにゲッター１１が固着されている。ゲッターシールド１２ａの幅は、フレーム１０とフィラメント状陰極６との距離の半分である。このため、ゲッター支持部１２を構成する突状部は、フレーム１０から略垂直に折り曲げた垂直部分（ゲッターシールド１２ａ）の高さが、フレーム１０とフィラメント状陰極６との中間位置となる高さで、さらにフレーム１０側に略垂直に折り曲げられることになる。ゲッターリボン１２ｂは、この最終的に折り曲げられた部分であり、突状部の先端部である。
【００３０】
ゲッターシールド１２ａの幅（折り曲げた際の高さ）は、最終的にゲッター１１が、フィラメント状陰極６に対して物理的に干渉することを避けられる高さであればよい。例えば、上記のように、ゲッターシールド１２ａの幅を、フレーム１０とフィラメント状陰極６との距離の半分とすることで、ゲッター１１の取付後において、ゲッター１１とフィラメント状陰極６との接触を避けることができる。また、各部位の折り曲げについても同様に、最終的にゲッター１１が、フィラメント状陰極６に対して物理的に干渉することを避けられる程度であればよく、完全に垂直な折り曲げでなくてもよい。
【００３１】
ＶＦＤ側面図に示すように、フレーム１０は、前面板２側に設置されている。ゲッター１１は、フィラメント状陰極６に直接接触することはなく物理的には干渉しない。ゲッター１１による蒸着膜は、基板３側の陽極５等に干渉しない部分に形成される。また、ゲッター１１による蒸発物は、フィラメント状陰極６にも一部堆積するが、表示品質等に対して悪影響を与えることはない。
【００３２】
ゲッター１１が、フレーム１０とフィラメント状陰極６との間で支持されているので、フィラメント状陰極６とゲッター１１の干渉を避けつつ、蛍光表示管内の省スペース化が図れ、表示装置全体のサイズを小さくできる。特に、前面板２側にフレーム１０が設置される構造で、かつ、ゲッター１１がフレーム１０とフィラメント状陰極６との間に収納されているため、蛍光表示装置の輝度設計において重要なファクターである蛍光体−フィラメント間距離（Ｐ−Ｋｇａｐ）が、スペーサ部材４の高さのみで調節可能となり、新規にフレーム成形金型を設計せずにＰ−Ｋｇａｐを短くすることができる。
【００３３】
本発明の蛍光表示装置において、ゲッター支持部にゲッターを取り付ける工程を図３に基づいて説明する。図３は、図２おけるゲッター支持部の拡大図であり、図２とは反対のフレーム面を示している。図３（ａ）（ｂ）に示すように、まず、ゲッター１１をフィラメント状陰極６に干渉しない位置で、ゲッター支持部１２のゲッターリボン１２ｂに固着する。ゲッター支持部１２における、ゲッターシールド１２ａとゲッターリボン１２ｂの折り曲げ手順は図２の場合と同様である。次に、図３（ｂ）の状態から、ゲッター１１を図中下側に押し込み、ゲッター支持部１２の一部を塑性変形させつつ、フレーム１０とフィラメント状陰極６との間に潜り込ませて配置する。なお、本発明の蛍光表示装置において、このゲッター取付工程以外の製造工程は、通常の蛍光表示装置における製造工程を採用できる。
【００３４】
上記工程により製造することで、折り曲げからゲッター固着まではフィラメント状陰極と干渉せずにゲッターを容易に配置でき作業性に優れる。そして、最終的にゲッターをフレームとフィラメント状陰極との間に配置することで、蛍光表示装置内の省スペース化が可能になる。なお、上述のとおり、この状態においても、ゲッターからの蒸発物がフィラメント状陰極に接触するのみで、ゲッターとフィラメント状陰極とが物理的に干渉することはない。
【００３５】
本発明の蛍光表示装置のゲッター支持部として、上記した実施例では、フレームと一体に形成した場合を説明したが、特にこれに限定されるものではない。例えば、前面板にフレームを設置する態様において、ゲッターをフレームとフィラメント状陰極との間で支持できる構造であれば、フレームとは別部材として形成したゲッター支持部を溶接等により接合したものであってもよい。
【産業上の利用可能性】
【００３６】
本発明の蛍光表示装置は、ゲッターとフィラメント状陰極との干渉を避けつつ表示装置全体のサイズを小さくでき、新規にフレーム成形金型を設計せずに、蛍光体−フィラメント間距離を短くすることが可能であるので、家電製品、計測器、医療機器、車載用表示器などの表示部に所定のパターンあるいはグラフィックを表示する表示素子として、特に薄型・小型用途において好適に利用できる。
【符号の説明】
【００３７】
１  蛍光表示管
２  前面板
３  基板
４  スペーサ部材
５  陽極
６  フィラメント状陰極
７  メッシュグリッド
８  電極パッド
９  リードピン
１０、１０’  フレーム
１１  ゲッター
１２  ゲッター支持部
１３  封着部
２１  金属フレーム
２２  ゲッター支持部
２３  ゲッター
２４  フィラメント状陰極
２５  前面板
２６  基板
【図１】
2014049423.tif 000003
【図２】
2014049423.tif 000004
【図３】
2014049423.tif 000005
【図４】
2014049423.tif 000006